【手続補正書】
【提出日】平成28年5月25日(2016.5.25)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
拡張レイヤピクチャのタイルが復号され得る前に復号される必要のある、前記拡張レイヤピクチャに対応するベースレイヤピクチャ内のタイルの数を示すデータを、前記拡張レイヤピクチャの前記タイルに対して復号することと、ここにおいて、前記タイルの各々が、対応する前記タイルのコード化ツリーブロックラスタ走査において連続的に順序付けられた、１つの列及び１つの行内で同時に発生するそれぞれの整数個のコード化ツリーブロックを備える、
タイルの前記数に対応する前記ベースレイヤピクチャのタイルを復号することと、
前記ベースレイヤピクチャの前記タイルを復号した後に、前記ベースレイヤピクチャ内の少なくとも１つの他のタイルと並列に前記拡張レイヤピクチャの前記タイルを復号することとを備え、ここにおいて、前記少なくとも１つの他のタイルが、タイルの前記数に対応する前記タイル以外のタイルを備える、方法。
【請求項２】
タイルの前記数を示す前記データを復号することが、前記拡張レイヤピクチャの前記タイルが復号され得る前に復号される必要のある前記ベースレイヤピクチャ内のタイルの最大数を示すｍａｘ＿ｒｅｆ＿ｔｉｌｅ＿ｄｅｃ＿ｉｄｃ＿ｍｉｎｕｓ１シンタックス要素を復号することを備える、請求項１に記載の方法。
【請求項３】
前記ベースレイヤピクチャのタイル走査順序及び前記数に基づいて対応する前記タイルを導出することをさらに備える、請求項１に記載の方法。
【請求項４】
前記データを復号することが、ビデオパラメータセット（ＶＰＳ）、シーケンスパラメータセット（ＳＰＳ）、ピクチャパラメータセット（ＰＰＳ）、スライスヘッダ、ビデオユーザビリティ情報（ＶＵＩ）、及び補助強化情報（ＳＥＩ）メッセージのうちの少なくとも１つの中の前記データを復号することを備える、請求項１に記載の方法。
【請求項５】
前記拡張レイヤピクチャの前記タイルが復号され得る前に復号される必要のある複数のベースレイヤピクチャ内のタイルのそれぞれの数を示すデータを、前記タイルに対して復号することをさらに備える、請求項１に記載の方法。
【請求項６】
タイルの前記数を示す前記データが、対応する前記タイルに対する識別子を備える、請求項１に記載の方法。
【請求項７】
参照レイヤに対する前記ベースレイヤピクチャにおけるタイル走査プロセスを示すデータを復号することをさらに備える、請求項１に記載の方法。
【請求項８】
ビデオデータを符号化する方法であって、
拡張レイヤピクチャのタイルが復号され得る前に復号される必要のある、前記拡張レイヤピクチャに対応するベースレイヤピクチャ内のタイルの数を示すデータを、前記拡張レイヤピクチャの前記タイルに対して符号化することと、ここにおいて、前記タイルの各々が、対応する前記タイルのコード化ツリーブロックラスタ走査において連続的に順序付けられた、１つの列及び１つの行内で同時に発生するそれぞれの整数個のコード化ツリーブロックを備える、
タイルの前記数に対応する前記ベースレイヤピクチャのタイルを符号化することと、
前記ベースレイヤピクチャの前記タイルを符号化した後に、前記ベースレイヤピクチャ内の少なくとも１つの他のタイルと並列に前記拡張レイヤピクチャの前記タイルを符号化することとを備え、ここにおいて、前記少なくとも１つの他のタイルが、タイルの前記数に対応する前記タイル以外のタイルを備える、方法。
【請求項９】
タイルの前記数を示す前記データを符号化することが、前記拡張レイヤピクチャの前記タイルが復号され得る前に復号される必要のある前記ベースレイヤピクチャ内のタイルの最大数を示すｍａｘ＿ｒｅｆ＿ｔｉｌｅ＿ｄｅｃ＿ｉｄｃ＿ｍｉｎｕｓ１シンタックス要素を符号化することを備える、請求項８に記載の方法。
【請求項１０】
前記ベースレイヤピクチャのタイル走査順序及び前記数に基づいて対応する前記タイルを導出することをさらに備える、請求項８に記載の方法。
【請求項１１】
前記データを符号化することが、ビデオパラメータセット（ＶＰＳ）、シーケンスパラメータセット（ＳＰＳ）、ピクチャパラメータセット（ＰＰＳ）、スライスヘッダ、ビデオユーザビリティ情報（ＶＵＩ）、及び補助強化情報（ＳＥＩ）メッセージのうちの少なくとも１つの中の前記データを符号化することを備える、請求項８に記載の方法。
【請求項１２】
前記拡張レイヤピクチャの前記タイルが復号され得る前に復号される必要のある複数のベースレイヤピクチャ内のタイルのそれぞれの数を示すデータを、前記タイルに対して符号化することをさらに備える、請求項８に記載の方法。
【請求項１３】
タイルの前記数を示す前記データが、対応する前記タイルに対する識別子を備える、請求項８に記載の方法。
【請求項１４】
参照レイヤに対する前記ベースレイヤピクチャにおけるタイル走査プロセスを示すデータを符号化することをさらに備える、請求項８に記載の方法。
【請求項１５】
ビデオデータをコード化するための装置であって、
ビデオデータを記憶するように構成されたメモリと、
拡張レイヤピクチャのタイルがコード化され得る前にコード化される必要のある、前記拡張レイヤピクチャに対応する、前記ビデオデータのベースレイヤピクチャ内のタイルの数を示すデータを、前記拡張レイヤピクチャの前記タイルに対してコード化することと、ここにおいて、前記タイルの各々が、対応する前記タイルのコード化ツリーブロックラスタ走査において連続的に順序付けられた、１つの列及び１つの行内で同時に発生するそれぞれの整数個のコード化ツリーブロックを備える、
タイルの前記数に対応する前記ベースレイヤピクチャのタイルをコード化することと、
前記ベースレイヤピクチャの前記タイルをコード化した後に、前記ベースレイヤピクチャ内の少なくとも１つの他のタイルと並列に前記拡張レイヤピクチャの前記タイルをコード化することと
を行うように構成されたビデオコーダと、を備え、ここにおいて、前記少なくとも１つの他のタイルが、タイルの前記数に対応する前記タイル以外のタイルを備える、装置。
【請求項１６】
タイルの前記数を示す前記データが、前記拡張レイヤピクチャの前記タイルが復号され得る前に復号される必要のある前記ベースレイヤピクチャ内のタイルの最大数を示すｍａｘ＿ｒｅｆ＿ｔｉｌｅ＿ｄｅｃ＿ｉｄｃ＿ｍｉｎｕｓ１シンタックス要素を備える、請求項１５に記載の装置。
【請求項１７】
前記ビデオコーダが、前記ベースレイヤピクチャのタイル走査順序及び前記数に基づいて対応する前記タイルを導出するように構成される、請求項１５に記載の装置。
【請求項１８】
前記ビデオコーダが、ビデオパラメータセット（ＶＰＳ）、シーケンスパラメータセット（ＳＰＳ）、ピクチャパラメータセット（ＰＰＳ）、スライスヘッダ、ビデオユーザビリティ情報（ＶＵＩ）、及び補助強化情報（ＳＥＩ）メッセージのうちの少なくとも１つの中の前記データをコード化するように構成される、請求項１５に記載の装置。
【請求項１９】
前記ビデオコーダが、前記拡張レイヤピクチャの前記タイルが復号され得る前に復号される必要のある複数のベースレイヤピクチャ内のタイルのそれぞれの数を示すデータを、前記タイルに対してコード化するようにさらに構成される、請求項１５に記載の装置。
【請求項２０】
タイルの前記数を示す前記データが、対応する前記タイルに対する識別子を備える、請求項１５に記載の装置。
【請求項２１】
前記ビデオコーダが、参照レイヤに対する前記ベースレイヤピクチャにおけるタイル走査プロセスを示すデータをコード化するようにさらに構成される、請求項１５に記載の装置。
【請求項２２】
前記ビデオコーダが、ビデオエンコーダまたはビデオデコーダの少なくとも一方を備える、請求項１５に記載の装置。
【請求項２３】
ビデオデータをコード化するための装置であって、
拡張レイヤピクチャのタイルがコード化され得る前に復号される必要のある、前記拡張レイヤピクチャに対応するベースレイヤピクチャ内のタイルの数を示すデータを、前記拡張レイヤピクチャの前記タイルに対してコード化するための手段と、ここにおいて、前記タイルの各々が、対応する前記タイルのコード化ツリーブロックラスタ走査において連続的に順序付けられた、１つの列及び１つの行内で同時に発生するそれぞれの整数個のコード化ツリーブロックを備える、
タイルの前記数に対応する前記ベースレイヤピクチャのタイルをコード化するための手段と、
前記ベースレイヤピクチャの前記タイルをコード化した後に、前記ベースレイヤピクチャ内の少なくとも１つの他のタイルと並列に前記拡張レイヤピクチャの前記タイルをコード化するための手段とを備え、ここにおいて、前記少なくとも１つの他のタイルが、タイルの前記数に対応する前記タイル以外のタイルを備える、装置。
【請求項２４】
タイルの前記数を示す前記データをコード化するための前記手段が、前記拡張レイヤピクチャの前記タイルが復号され得る前に復号される必要のある前記ベースレイヤピクチャ内のタイルの最大数を示すｍａｘ＿ｒｅｆ＿ｔｉｌｅ＿ｄｅｃ＿ｉｄｃ＿ｍｉｎｕｓ１シンタックス要素をコード化するための手段を備える、請求項２３に記載の装置。
【請求項２５】
前記ベースレイヤピクチャのタイル走査順序及び前記数に基づいて対応する前記タイルを導出するための手段をさらに備える、請求項２３に記載の装置。
【請求項２６】
前記データをコード化するための前記手段が、ビデオパラメータセット（ＶＰＳ）、シーケンスパラメータセット（ＳＰＳ）、ピクチャパラメータセット（ＰＰＳ）、スライスヘッダ、ビデオユーザビリティ情報（ＶＵＩ）、及び補助強化情報（ＳＥＩ）メッセージのうちの少なくとも１つの中の前記データをコード化するための手段を備える、請求項２３に記載の装置。
【請求項２７】
前記拡張レイヤピクチャの前記タイルが復号され得る前に復号される必要のある複数のベースレイヤピクチャ内のタイルのそれぞれの数を示すデータを、前記タイルに対してコード化するための手段をさらに備える、請求項２３に記載の装置。
【請求項２８】
タイルの前記数を示す前記データが、対応する前記タイルに対する識別子を備える、請求項２３に記載の装置。
【請求項２９】
参照レイヤに対する前記ベースレイヤピクチャにおけるタイル走査プロセスを示すデータをコード化するための手段をさらに備える、請求項２３に記載の装置。
【請求項３０】
命令を記憶したコンピュータ可読記憶媒体であって、前記命令が、実行されたとき、プロセッサに、
拡張レイヤピクチャのタイルがコード化され得る前にコード化される必要のある、前記拡張レイヤピクチャに対応するベースレイヤピクチャ内のタイルの数を示すデータを、前記拡張レイヤピクチャの前記タイルに対してコード化することと、ここにおいて、前記タイルの各々が、対応する前記タイルのコード化ツリーブロックラスタ走査において連続的に順序付けられた、１つの列及び１つの行内で同時に発生するそれぞれの整数個のコード化ツリーブロックを備える、
タイルの前記数に対応する前記ベースレイヤピクチャのタイルをコード化することと、
前記ベースレイヤピクチャの前記タイルをコード化した後に、前記ベースレイヤピクチャ内の少なくとも１つの他のタイルと並列に前記拡張レイヤピクチャの前記タイルをコード化することとを行わせ、ここにおいて、前記少なくとも１つの他のタイルが、タイルの前記数に対応する前記タイル以外のタイルを備える、コンピュータ可読記憶媒体。
【請求項３１】
タイルの前記数を示す前記データを前記プロセッサにコード化させる前記命令が、前記拡張レイヤピクチャの前記タイルが復号され得る前に復号される必要のある前記ベースレイヤピクチャ内のタイルの最大数を示すｍａｘ＿ｒｅｆ＿ｔｉｌｅ＿ｄｅｃ＿ｉｄｃ＿ｍｉｎｕｓ１シンタックス要素を前記プロセッサにコード化させる命令を備える、請求項３０に記載のコンピュータ可読記憶媒体。
【請求項３２】
前記ベースレイヤピクチャのタイル走査順序及び前記数に基づいて対応する前記タイルを前記プロセッサに導出させる命令をさらに備える、請求項３０に記載のコンピュータ可読記憶媒体。
【請求項３３】
前記データを前記プロセッサにコード化させる前記命令が、ビデオパラメータセット（ＶＰＳ）、シーケンスパラメータセット（ＳＰＳ）、ピクチャパラメータセット（ＰＰＳ）、スライスヘッダ、ビデオユーザビリティ情報（ＶＵＩ）、及び補助強化情報（ＳＥＩ）メッセージのうちの少なくとも１つの中の前記データを前記プロセッサにコード化させる命令を備える、請求項３０に記載のコンピュータ可読記憶媒体。
【請求項３４】
前記拡張レイヤピクチャの前記タイルが復号され得る前に復号される必要のある複数のベースレイヤピクチャ内のタイルのそれぞれの数を示すデータを、前記タイルに対して前記プロセッサにコード化させる命令をさらに備える、請求項３０に記載のコンピュータ可読記憶媒体。
【請求項３５】
タイルの前記数を示す前記データが、対応する前記タイルに対する識別子を備える、請求項３０に記載のコンピュータ可読記憶媒体。
【請求項３６】
参照レイヤに対する前記ベースレイヤピクチャにおけるタイル走査プロセスを示すデータを前記プロセッサにコード化させる命令をさらに備える、請求項３０に記載のコンピュータ可読記憶媒体。